(57)【特許請求の範囲】
【請求項１】
病院に入院中の患者がナースコール呼出、食事選択、院内情報閲覧等の患者サービスのためにベッド近傍に設置され、タッチパネル等の入力部（１２）とディスプレイ等の第１の表示部（１１）を備えたベッドサイド端末（１）と、病室入口の廊下等に設置され、待受け時にイラスト等の背景画像を表示し、ナースコール呼出時に呼出を行なった患者情報等の呼出表示を行なう第２の表示部（２１）を備えた廊下灯（２）と、ナースコール呼出に応答するナースコール親機（３）と、前記ナースコール親機及び前記ベッドサイド端末を制御する制御装置（４）からなるナースコールシステムにおいて、
前記制御装置、前記ベッドサイド端末及び前記ナースコール親機の少なくとも１つは、前記第１の表示部から前記入力部により選択した背景画像を前記第２の表示部に表示する選択部（１５ａ，３５ａ，４５ａ）を備えたことを特徴とするナースコールシステム。
【請求項２】
前記制御装置、前記ベッドサイド端末及び前記ナースコール親機の少なくとも１つは、前記入力部と前記第１の表示部を介し、描画ソフト等のグラフィックソフトウェアを使用して患者により作成された画像を前記背景画像として保存する保存部（１６ａ，３６ａ，４６ａ）を備えたことを特徴とする請求項１記載のナースコールシステム。
【請求項３】
ナースコール呼出時に呼出を行なった患者を前記ナースコール親機に表示するための画像を撮像するカメラ（５）を接続し、
前記第１の表示部は前記カメラで撮像した映像を表示するとともに、前記入力部は前記第１の表示部に表示された映像に上書き合成して画像を作成し、前記制御装置、前記ベッドサイド端末及び前記ナースコール親機の少なくとも１つは、作成した画像を保存する保存部（１６ｂ，３６ｂ，４６ｂ）を備えたことを特徴とする請求項２記載のナースコールシステム。
【請求項４】
前記保存部の背景画像は、患者ＩＤとともに保存され、前記選択部は、前記入力部を操作している患者の患者ＩＤと異なる患者ＩＤの背景画像を非表示とすることを特徴とする請求項２記載のナースコールシステム。
【請求項５】
前記制御装置、前記ベッドサイド端末及び前記ナースコール親機の少なくとも１つは、前記背景画像を複数枚分割表示するか、あるいは１つの背景画像を表示するかの何れかを選択する選択部（１５ｂ，３５ｂ，４５ｂ）を備えたことを特徴とする請求項１乃至請求項４記載のナースコールシステム。
【請求項６】
前記ベッドサイド端末は、前記第１の表示部に表示する画像を入力するためのＳＤカードコネクタ等の外部入力部（１４）を備え、前記制御装置、前記ベッドサイド端末及び前記ナースコール親機の少なくとも１つは、前記外部入力部からの画像を保存する保存部（１６ｃ，３６ｃ，４６ｃ）を備えたことを特徴とする請求項１記載のナースコールシステム。
【発明の詳細な説明】
【技術分野】
【０００１】
本発明は、ナースコールシステムで、特に液晶廊下灯の待受画像を入院患者自らがカスタマイズすることができるナースコールシステムに関する。
【背景技術】
【０００２】
従来から、ナースコールシステムとして、文献１の先行技術に示すような装置が提案されている。本装置によれば、液晶廊下灯には、ナースコール親機からの選択により、待受時には１つの背景画像が表示されていた。
【先行技術文献】
【特許文献】
【０００３】
【特許文献１】特開２００２−２８２３０８号公報
【発明の概要】
【発明が解決しようとする課題】
【０００４】
しかしながら、文献１のナースコールシステムにおいては、看護師の操作により背景画像が決定されてしまい、とくに小児科病棟等での患者からは、自らが気に入った画像を液晶廊下灯に表示したいというカスタマイズ要求が高まっていた。
【０００５】
本発明は、上述の難点を解消するためになされたもので、ナースコールシステムのベッドサイド端末において待受け画像を選択して表示させることにより、入院患者のＱＯＬを向上させることを目的としている。
【課題を解決するための手段】
【０００６】
上述の目的を達成するため、本発明の第１の態様であるナースコールシステムは、病院に入院中の患者がナースコール呼出、食事選択、院内情報閲覧等の患者サービスのためにベッド近傍に設置され、タッチパネル等の入力部とディスプレイ等の第１の表示部を備えたベッドサイド端末と、病室入口の廊下等に設置され、待受け時にイラスト等の背景画像を表示し、ナースコール呼出時に呼出を行なった患者情報等の呼出表示を行なう第２の表示部を備えた廊下灯と、ナースコール呼出に応答するナースコール親機と、ナースコール親機及びベッドサイド端末を制御する制御装置からなるナースコールシステムにおいて、制御装置、ベッドサイド端末及びナースコール親機の少なくとも１つは、第１の表示部から入力部により選択した背景画像を第２の表示部に表示する選択部を備えたものである。
【０００７】
上述の目的を達成するため、本発明の第２の態様であるナースコールシステムは、本発明の第１の態様のナースコールシステムにおいて、制御装置、ベッドサイド端末及びナースコール親機の少なくとも１つは、入力部と第１の表示部を介し、描画ソフト等のグラフィックソフトウェアを使用して患者により作成された画像を背景画像として保存する保存部を備えたものである。
【０００８】
上述の目的を達成するため、本発明の第３の態様であるナースコールシステムは、本発明の第２の態様のナースコールシステムにおいて、ナースコール呼出時に呼出を行なった患者をナースコール親機に表示するための画像を撮像するカメラを接続し、第１の表示部はカメラで撮像した映像を表示するとともに、入力部は第１の表示部に表示された映像に上書き合成して画像を作成し、制御装置、ベッドサイド端末及びナースコール親機の少なくとも１つは、作成した画像を保存部に保存する保存部を備えたものである。
【０００９】
上述の目的を達成するため、本発明の第４の態様であるナースコールシステムは、本発明の第２の態様のナースコールシステムにおいて、保存部の背景画像は、患者ＩＤとともに保存され、選択部は、入力部を操作している患者の患者ＩＤと異なる患者ＩＤの背景画像を非表示とするものである。
【００１０】
上述の目的を達成するため、本発明の第５の態様であるナースコールシステムは、本発明の第１〜第４の態様のナースコールシステムにおいて、制御装置、ベッドサイド端末及びナースコール親機の少なくとも１つは、背景画像を複数枚分割表示するか、あるいは１つの背景画像を表示するかの何れかを選択する選択部を備えたものである。
【００１１】
上述の目的を達成するため、本発明の第６の態様であるナースコールシステムは、本発明の第１の態様のナースコールシステムにおいて、ベッドサイド端末は、第１の表示部に表示する画像を入力するためのＳＤカードコネクタ等の外部入力部を備え、制御装置、ベッドサイド端末及びナースコール親機の少なくとも１つは、外部入力部からの画像を保存する保存部を備えたものである。
【発明の効果】
【００１２】
請求項１のナースコールシステムによれば、患者の嗜好により廊下灯の背景画像を選択できるため、病床から動くことなく、病室の入口にある液晶廊下灯の画像を自ら選択することができる。
【００１３】
請求項２のナースコールシステムによれば、廊下灯の背景画像を患者自らが作成、加工できるため、選択候補に気に入った画像がなくても自分で画像を作成することができ、例えば幼児の場合には自ら書いたお絵かきを廊下灯に表示することもできる。
【００１４】
請求項３のナースコールシステムによれば、患者監視用のカメラを用いて、あたかもプリクラ（登録商標）のように自画像を撮像してさらに文字追加等の画像加工をすることができ、加工した画像を廊下灯に表示することもできる。
【００１５】
請求項４のナースコールシステムによれば、他の患者が作成した背景画像を廊下灯に表示することを防ぐことができる。
【００１６】
請求項５のナースコールシステムによれば、１つの病室に複数の患者が入院している場合でも、表示方法をカスタマイズすることができる。
【００１７】
請求項６のナースコールシステムによれば、外部で作成あるいは撮像した画像を背景画像として使用することができる。
【図面の簡単な説明】
【００１８】
【図１】図１は、本発明の実施例によるナースコールシステムの構成図である。
【図２】図２は、本発明の実施例によるナースコールシステムのブロック図である。
【発明を実施するための形態】
【００１９】
以下、本発明のナースコールシステムを適用して、患者自らが廊下灯の背景画像を選択するための最良の実施の形態例について、図面を参照して説明する。
【実施例１】
【００２０】
図１は、本発明の実施例によるナースコールシステムの構成を示すシステム構成図であり、病院に入院中の患者がナースコール呼出、食事選択、院内情報閲覧等の患者サービスのためにベッド近傍に設置されたベッドサイド端末１と、ナースコール呼出に応答するナースコール親機３と、病室の入口付近の廊下に設置され、ナースコール親機３とベッドサイド端末１とを接続するとともにナースコール呼出時に呼出を行なった患者情報等の呼出表示を行なう廊下灯２と、ナースコール親機及びベッドサイド端末を制御する制御装置４と、ナースコール呼出時に呼出を行なった患者をナースコール親機に表示するための画像を撮像するカメラ５と、病院に入院中の患者がナースコール呼出を行なうための呼出ボタンを備えたナースコール子機６から構成される。
【００２１】
廊下灯２には待受時にイラスト等の背景画像を表示し、ナースコール呼出時に呼出を行なった患者情報等の呼出表示を行なう廊下灯ディスプレイ２１を備えている。
【００２２】
ベッドサイド端末１にはタッチパネル等の入力部１２と、ディスプレイ等の第１の表示部１１と、ＳＤカードコネクタ１４と、廊下灯ディスプレイ２１の背景画像を選択する選択部１５と、背景画像の選択内容を保存する保存部１６とを備えている。
【００２３】
ナースコール親機３にはナースコール呼出がなされた場合に表示や呼出音鳴動で報知を行なう報知部３１を備えている。
【００２４】
以下、動作について説明する。
【００２５】
廊下灯ディスプレイ２１において、患者が選択部１５で選択を行なっていない場合には、待受け時には事前にナースコール親機３で設定した画像が待受け画像として表示されている。
【００２６】
患者が看護師を呼び出す際に、ナースコール子機６の呼出ボタンを押下すると、廊下灯２を介してナースコール親機３に呼出信号を送出する。
【００２７】
ナースコール親機３では、報知部３１のスピーカやディスプレイにより患者からの呼出を報知するとともに、患者近傍にあるカメラ５を特定し、当該カメラ５で撮像した映像を表示することにより呼出内容と患者の状態を把握し、看護師は呼び出されたベッドに向かう。
【００２８】
また、呼び出されたベッドのある病室の入口付近の廊下にある廊下灯２の廊下灯ディスプレイ２１は、待受け画像から患者情報等を表示した呼出画面に切り替わる。
【００２９】
このように、待受け時には廊下灯ディスプレイ２１に待受け画像が表示されているが、当該待受け画像を入院患者自らが作成し、変更する方法について説明する。
【００３０】
患者がベッドサイド端末１の入力部１２を操作することにより、第１の表示部１１に描画用ソフトウェアが起動する。患者は、入力部１２を操作して自ら画像データを作成し、入力部１２より保存処理を行なうと、保存部１６に作成した画像を保存する。
【００３１】
なお、画像データについては、描画ソフトで白紙の状態から作成する方法のほかに、既に作成して保存部１６に保存してある画像データを読み出して編集する他、入力部１２を操作してカメラ５が撮像した患者自らの画像にデコレーションや文字記入を行なったり、デジタルカメラ等で撮像した画像をＳＤカードコネクタ１４を介して読み出して編集する方法もある。
【００３２】
その後、患者がベッドサイド端末１の入力部１２を操作することにより、作成した画像や予めプリインストールされた画像等の待受け画像の候補となる複数の映像が第１の表示部１１に表示される。患者が入力部１２を操作することによりそのうちの１つの映像を選択すると、選択された情報は選択部１５に入力され、選択部１５からの制御により、廊下灯２の廊下灯ディスプレイ２１は待受け画像を選択された画像に変更して表示する。
【００３３】
なお、保存部１６に画像を保存する際には、患者ＩＤ等をあわせて記憶し、他の患者が画像を読み出す際には待受け画像の候補として表示しないことによって、他の患者による画像の無断使用を防止する。
【産業上の利用可能性】
【００３４】
なお、選択部１５、保存部１６に代えて、ナースコール親機３には廊下灯ディスプレイ２１の背景画像を選択する選択部３５と、背景画像の選択内容を保存する保存部３６とを備えることも好適である。この場合には通信データ量は増大するが選択部、保存部は装置全体で１つ存在すればよいため、回路の簡素化が実現できる。
【００３５】
また、選択部１５、保存部１６に代えて、制御装置４には廊下灯ディスプレイ２１の背景画像を選択する選択部４５と、背景画像の選択内容を保存する保存部４６とを備えることも好適である。
【００３６】
また、ナースコール子機６及びナースコール親機３にそれぞれマイク、スピーカを接続して通話を可能にすることも好適である。
【符号の説明】
【００３７】
１      ベッドサイド端末
２      廊下灯
３      ナースコール親機
４      制御装置
５      カメラ
６      ナースコール子機
１１      第１の表示部
１２      入力部
１４      外部入力部
１５，３５，４５（１５ａ，３５ａ，４５ａ，１５ｂ，３５ｂ，４５ｂ）      選択部
１６，３６，４６（１６ａ，３６ａ，４６ａ，１６ｂ，３６ｂ，４６ｂ，１６ｃ，３６ｃ，４６ｃ）      保存部
２１      第２の表示部
３６      保存部
４５      選択部
【図１】
0005643696.tif 000002
【図２】
0005643696.tif 000003